(57)【要約】【課題】エアポンプにより供給される空気を気泡として放出する際のエアリフト効果を利用し、浄化材で浄化した水を排出するパイプ内に上昇水流を生じさせて水槽内に還流させるコンパクトで効率の良い浄化装置を提供する。【解決手段】浄化材を装填した浄化ケース１中央開口に直立して連通する排出パイプ２を立設し、この排出パイプ２の中央にエアポンプから供給されるエア供給パイプ３を設け、このエア供給パイプ３の先端にエアストーン４を装着し、エア供給時にこのエアストーン４から生じる気泡で排出パイプ２内の水を上動させて排出パイプ２の先端開口２ａから浄化材で浄化された水を水槽内に還流するようにした。また前記排出パイプの上方にフロート１１を装着して浄化装置が水面に浮くようにした。【選択図】図１
0003119086.tif 000002
【実用新案登録請求の範囲】
【請求項１】
浄化材（１４）を装填した浄化ケース（１）の中央開口に直立して連通する排出パイプ（２）を立設し、この排出パイプ（２）の中央にエアポンプから供給されるエア供給パイプ（３）を設け、このエア供給パイプ（３）の先端にエアストーン（４）を装着し、エア供給時にこのエアストーン（４）から生じる気泡で排出パイプ（２）内の水を上動させて排出パイプ（２）の先端開口（２ａ）から浄化材で浄化された水を水槽内に還流するようにした水槽用浄化装置。
【請求項２】
前記排出パイプ（２）の上方にフロート（１１）を装着して浄化装置が水面に浮くようにした請求項１記載の水槽用浄化装置。
【請求項３】
前記エア供給パイプ（３）の上方の先端を排出パイプ（２）の上縁から外方に突出させ、柔軟なエアパイプ７及び水面に浮かぶフロート（８）内に挿通された硬質なエアパイプ（１０）を介してエアポンプに連結するようにした請求項１記載の水槽用浄化装置。
【請求項４】
前記浄化ケース（１）を排出パイプ（２）の下端開口に嵌着した椀状の蓋体（１２）と、該蓋体（１２）の下方の開口に嵌め込まれる交換式の浄化材ケース（１３）とで構成すると共に、交換式浄化ケース（１３）の上部及び下部は細穴を穿設したスクリーン（１５）、（１６）でそれぞれ覆うようにし、その内部にセラミックボール（１４）を収容するようにした請求項１記載の水槽用浄化装置。
【考案の詳細な説明】
【技術分野】
【０００１】
本考案は、熱帯魚などを飼う水槽の水の汚れを防ぐ浄化装置に関するものである。
【背景技術】
【０００２】
従来の水槽用浄化装置は、水槽液面付近にフィルターを固定し、水ポンプで水を吸上げてゴミを捕集するものが主で水の汚れを防止するには不十分であった。またエアリフトを水槽底面に固定して水を循環するものは、水槽の液面が下がるとエアリフトの吐出高さが高くなり水の循環量が低下する欠点があった。また水の汚れ防止に用いる活水材は水槽の底面に散布するものが主で、停滞した水との接触のため水槽全体の水とは接触できない欠点があった。
【０００３】
エアリフトと浄化器を一体化したものとして下記の特許文献が開示されている。特許文献１、２のものは水槽上面に浮かせる方式のものであり、特許文献３は底面に設置するタイプである。そしていずれもエアストーンによる気泡の上昇を利用して水を誘導し、汚水が浄化材内を通るようにしたものである。
【特許文献１】特開２００５―５８２０１号
【特許文献２】特開平１１―７５６１２号
【特許文献３】特開２００１―２５８４２２号
【考案の開示】
【考案が解決しようとする課題】
【０００４】
本考案は、エアポンプにより供給される空気を気泡として放出する際のエアリフト効果を利用し、浄化材で浄化した水を排出するパイプ内に上昇水流を生じさせて水槽内に還流させるコンパクトで効率の良い浄化装置を提供する。
【課題を解決するための手段】
【０００５】
本考案の水槽用浄化装置は、請求項１記載のように、浄化材１４を装填した浄化ケース１の中央開口に直立して連通する排出パイプ２を立設し、この排出パイプ２の中央にエアポンプから供給されるエア供給パイプ３を設け、このエア供給パイプ３の先端にエアストーン４を装着し、エア供給時にこのエアストーン４から生じる気泡で排出パイプ２内の水を上動させて排出パイプ２の先端開口２ａから浄化材で浄化された水を水槽内に還流するようにした。また請求項２記載のように、前記排出パイプ２の上方にフロート１１を装着して浄化装置が水面に浮くようにした。
【０００６】
さらに請求項３記載のように、前記エア供給パイプ３の上方の先端を排出パイプ２の上縁から外方に突出させ、柔軟なエアパイプ７及び水面に浮かぶフロート８内に挿通された硬質なエアパイプ１０を介してエアポンプに連結するようにした。
【０００７】
また請求項４記載のように、 前記浄化ケース１を排出パイプ２の下端開口に嵌着した椀状の蓋体１２と、該蓋体１２の下方の開口に嵌め込まれる交換式の浄化材ケース１３とで構成すると共に、交換式浄化ケース１３の上部及び下部は細穴を穿設したスクリーン１５、１６でそれぞれ覆うようにし、その内部にセラミックボール１４を収容するようにしたこと等を特徴としている。
【考案の効果】
【０００８】
本考案によれば、浄化した水を排出する排出パイプ内に同心状にエアストーンを装着したエアパイプを配してそのエアリフト効果で水を上動させるようにしたのでエアポンプの省力化が図れる。更に排出パイプに浄化材を充填した浄化ケースを直付けしたので浄化効率が良く、更に浄化材の収容ケースが交換式なので交換が手軽に簡単に出来る。また浄化装置をフロートで浮かした状態で使用するので水槽の液面が変動しても液面に追従してエアリフトの循環能力が変らないなどの効果がある。
【考案を実施するための最良の形態】
【０００９】
浄化材を装填した浄化ケース１に直立して排出パイプ２を立設し、この排出パイプ２の中央にエアポンプから供給されるエア供給パイプ３を設け、このエア供給パイプ３にエアストーン４を装着し、エア供給時にこのエアストーン４から生じる気泡で排出パイプ２内の水を上動させて排出パイプ２の先端開口２ａから浄化材で浄化された水を水槽内に還流するようにし、また前記排出パイプの上方にフロート１１を装着して浄化装置が水面に浮くようにした。
【実施例１】
【００１０】
以下、本考案の好適なひとつの実施例を図面に基づき説明する。図１は本考案の水槽内に浮かべて使用する浄化装置の断面図である。本装置は浄化材を装填した浄化ケース１の中央開口に直立して連通する排出パイプ２を立設し、この排出パイプ２の中央にエアポンプから供給されるエア供給パイプ３を同心状に設けたものである。そしてこのエア供給パイプ３の先端にエアストーン４を装着し、エア供給時にこのエアストーン４から細かな気泡を発生させ気泡の上動に誘導されて水流が排出パイプ２内を上方に向かうようになっている。そしてこの排出パイプ２上方のＬ字型に折り曲げられた先端開口２ａから浄化材で浄化された水を水槽内に還流するようにしてある。
【００１１】
前記エア供給パイプ３の上方の先端はＬ字型に折り曲げられた排出パイプ３の上縁から外方に突出し、キャップ５及びジョイント６を介して柔軟なエアパイプ７に連結しており、更に水面に浮かぶフロート８内に挿通されたジョイント９を介して図示しないエアポンプに連結する硬質なエアパイプ１０に連結している。また前記排出パイプのＬ字型に折り曲げられた部分にフロート１１を装着してこの浄化装置全体が水面に浮くようにしてある。
【００１２】
前記浄化ケース１は、排出パイプ２の下端開口にその中央開口を嵌着した椀状の蓋体１２と、該蓋体１２の下方の開口に嵌め込まれる交換式浄化材収容ケース１３とからなる。そしてこの交換式浄化材収容ケース１３の上部及び下部は細穴を穿設したスクリーン１５、１６でそれぞれ覆って、その内部に遠赤外線を発生し、また魚の糞、魚餌の残滓などを浄化する浄化材１４であるセラミックボールが収容されている。
【００１３】
本装置を使用し水槽内汚水の浄化を行う場合は、図示しないエアポンプからエアを供給し、エアパイプ１０、７を介してエア供給パイプ３にエアを送り込むとその先端に装着したエアストーン４から発生する細かな気泡が排出パイプ２内を上方へ昇り、そのエアリフト効果により排出パイプ２内に上昇水流を発生させ、この上昇水流の発生による浄化ケース内の負圧によって水槽内の汚れた水を吸引し、浄化材１４を通して浄化して排出パイプ２のＬ字型に折り曲げられた先端排出口２ａから水槽内に返すようになっている。
【００１４】
浄化材１４に用いる遠赤外線セラミックボールは、セラミック原料で球状に成型し、乾燥させ、低温で一回目の焼成を行う。その後、遠赤外線鉱石を調合した釉薬を表面に積層し、乾燥後に高温で２回目の焼成により製造する。
【産業上の利用可能性】
【００１５】
本装置は、熱帯魚などの観賞用水槽に用いるものであるが本装置を大型化すれば水槽以外の溜池等などでも使用できる。また水面に浮かべた状態で使用できるのでエアポンプの動力をソーラー発電利用により供給して、電源供給が困難な湖水等の浄化等幅広い分野への展開も可能である。
【図面の簡単な説明】
【００１６】
【図１】本考案の水槽内に浮かべて使用する浄化装置の断面図である。
【符号の説明】
【００１７】
１    浄化ケース
２    排出パイプ
２ａ  先端開口
３    エア供給パイプ
４    エアストーン
５    キャップ
６    ジョイント
７    柔軟なエアパイプ
８    フロート
９    ジョイント
１０  硬質なエアパイプ
１１  フロート
１２  蓋体
１３  交換式浄化材収容ケース
１４  浄化材
１５、１６  スクリーン
【図１】
0003119086.tif 000003